(57)【特許請求の範囲】
【請求項１】
加熱調理器本体部と、
前記加熱調理器本体部内に形成され、前面に開口部を有し、加熱体が配設された直方体状の調理庫と、
該調理庫内を前後にスライド自在に可動し、前記開口部を開閉自在に覆うグリル扉と、
該グリル扉に取付けられ、上面が開口し、該開口の縁にフランジ部が形成されたトレーと、
前記フランジ部と前記加熱調理器本体部の両側壁側との間にそれぞれ介在するようにして、前記グリル扉のスライド方向に沿って設けられた複数の弾性体と、
前記調理庫の両側壁に形成され、前記トレーのフランジ部を案内する１対のレールとを備え、
各レールは、前記調理庫の側壁に内側に突起して上下にそれぞれ形成された１対のリブから構成され、
各弾性体は、コイルバネと当接体とから構成され、前記当接体が、前記１対のリブの間に形成された開口部を介して前記フランジ部に当接するように形成され、前記フランジ部を、前記調理庫の開口部の正面視において横方向で、且つ内側に押圧することを特徴とする加熱調理器。
【請求項２】
下端部が加熱調理器本体の内壁側に固着され、前記弾性体を収納する筒状の収納部を備えたことを特徴とする請求項１記載の加熱調理器。
【発明の詳細な説明】
【技術分野】
【０００１】
本発明はロースターグリルを備えた加熱調理器に関し、特に、トレーを出し入れする際の機構に関する。
【背景技術】
【０００２】
従来この種の加熱調理器においては、トレーの出し入れをスムーズに行うことができるようにするものとして、例えば「グリル庫２とグリル皿３と、扉と把手が一体となったグリル扉５と、前記グリル皿３を保持し前記グリル扉５に固定された線状のグリル皿保持装置６と前記グリル皿保持装置６の接触部６ｂ、６ｃを内接せしめるＵ字状溝７ａを設けた前記グリル庫２に固定されたガイド金具７を備える。」ようにしたものが提案されている（例えば特許文献１参照）。
【特許文献１】特開２００５−２７６９１号公報（要約、図１、図２）
【発明の開示】
【発明が解決しようとする課題】
【０００３】
上記の従来の加熱調理器は、ガイド金具のＵ字状溝に、グリル扉に固定された線状のグリル皿保持装置の接触部を内接させるようにしたものであるが、ガイド金具のＵ字状溝とグリル皿保持装置との間、特にその左右方向には隙間があり、グリル皿保持装置の出し入れの際にガタついて出し入れをスムーズに行うことができなかった。
【０００４】
本発明は、このような課題を解決するためになされたものであり、トレーの出し入れをスムーズに行うことを可能にした加熱調理器を提供することを目的とする。
【課題を解決するための手段】
【０００５】
本発明に係る加熱調理器は、加熱調理器本体部と、前記加熱調理器本体部内に形成され、前面に開口部を有し、加熱体が配設された直方体状の調理庫と、該調理庫内を前後にスライド自在に可動し、前記開口部を開閉自在に覆うグリル扉と、該グリル扉に取付けられ、上面が開口し、該開口の縁にフランジ部が形成されたトレーと、前記フランジ部と前記加熱調理器本体部の両側壁側との間にそれぞれ介在するようにして、前記グリル扉のスライド方向に沿って設けられた複数の弾性体と、前記調理庫の両側壁に形成され、前記トレーのフランジ部を案内する１対のレールとを備え、各レールは、前記調理庫の側壁に内側に突起して上下にそれぞれ形成された１対のリブから構成され、各弾性体は、コイルバネと当接体とから構成され、前記当接体が、前記１対のリブの間に形成された開口部を介して前記フランジ部に当接するように形成され、前記フランジ部を、前記調理庫の開口部の正面視において横方向で、且つ内側に押圧するものである。
【発明の効果】
【０００６】
本発明によれば、フランジ部と調理庫の内壁側との間に、グリル扉のスライド方向に沿って弾性体を介在させており、フランジ部がその内側に弾性付勢されているので、ガタつきがなくなっており、このため、トレーの出し入れがスムーズに行われる。
【発明を実施するための最良の形態】
【０００７】
実施の形態１．
図１は本発明の実施の形態１に係る加熱調理器の斜視図であり、図２はグリル扉を引き出した状態を示す斜視図である。加熱調理器１は、上部が開口された箱状の本体部２と、周囲に枠材４が設けられ、本体部２の上部の開口部を覆って着脱可能に装着されたトッププレート（天板）３とを備えている。そして、トッププレート３上には、調理鍋等を載置する載置部５ａ，５ｂ，５ｃ、火力表示部６ａ，６ｂ，６ｃ、液晶表示部７ａ，７ｂ，７ｃ、上面操作部９ａ等が設けられている。また、トッププレート３の奥側には吸気口８ａ，排気口８ｂがそれぞれ設けられている。本体部２内には、何れも図示しないが、トッププレート３の載置部５ａ〜５ｃに対応して左電磁誘導加熱コイル、右電磁誘導加熱コイル及び中央ヒーター（例えばラジエントヒーター）からなる加熱部が設置されており、さらに、これら加熱部を制御する制御部、さらには加熱部や制御部を冷却する冷却ファン等が設けられている。また、本体部２の前面側には電源スイッチ等を有する正面操作部９ｂが設けられており、この正面操作部９ｂに隣接して本体部２の前面側にロースターグリル１０が設けられている。
【０００８】
このロースターグリル１０は、グリル扉２０、トレー３０及び調理庫４０から構成されており、調理庫４０のトッププレート３側には上ヒータ（図３参照）が設けられており、下部には、底部とすき間を隔ててほぼＷ字状に形成された下ヒータ（図３参照）が設けられている。このロースターグリル１０の構成を図３〜図７に基づいて説明する。なお、ロースターグリルはグリルロースター又はグリルとも称されるが、本実施の形態においてはロースターグリルと称するものとする。
【０００９】
図３はロースターグリル１０の分解斜視図、図４はグリル扉２０にトレー３０を載置した状態の説明図であり、図５は調理庫本体の斜視図である。なお、図５においては上ヒーター及び上ヒーターの図示は省略されている。グリル扉２０は、中央部分にガラス板２１ａが装着された扉本体２１と、扉本体２１の正面下部に設けられたハンドル２２と、扉本体２１から延出し、トレー（焼き皿）が載置されるフレーム２３とから構成されている。トレー（焼き皿）３０はその上面に焼き網３１が載置される凹部３２が形成されており、その凹部３２の表面には、焼き網固定凸部３３及びトレー掛かり部３４が形成されている（図４参照）。
【００１０】
焼き網固定凸部３３は焼き網３１の位置決め又はストッパーとして機能するものであり、焼き網３１の後端部が焼き網固定凸部３３に係合することでその奥行き方向の位置が規定される。トレー掛かり部３４は凹部状に形成されており（下方に突起している）、これは、グリル扉２０を引き出したときに、後述の庫内掛かり部４７と係合するものである。なお、トレー掛かり部３４は焼き網固定凸部３３よりも後部に形成されている。また、トレー３０の凹部３２の周辺部にはフランジ３５が形成されている。このトレー３０のフランジ３５がグリル扉２０のフレーム２３上に載置されることによりグリル扉２０にトレー３０が装着されることになり、そして、トレー３０の凹部３２に焼き網３１が載置された状態で調理庫４０に挿入される。
【００１１】
調理庫４０は、前面に開口部４１を有し、上ヒーター４２及び下ヒーター４３からなる加熱体が設けられた直方体状からなり、その両側壁には内側にそれぞれ突出したリブ４４ａ，４４ｂ、４５ａ，４５ｂが形成されており、これらのリブ４４ａ，４４ｂ、４５ａ，４５ｂにより１対のレール４４，４５が形成されている。また、調理庫４０の奥面の下方の一部には外方に突出して形成された収納室４６が形成されている。この収納室４６の長さ（奥行き寸法）は、グリル扉２０を引き出したときに、焼き網３１が調理庫４０の開口部４１より外側に出るのに必要な長さにするものとする。また、調理庫４０の開口部４１側の底部には突起した複数の庫内掛かり部４７が設けられており、これはグリル扉２０を引き出したときに、トレー３０のトレー掛かり部３４と係合し、ストッパーとして機能する。また、調理庫４０の後面に排風口４８が形成されており、調理庫４０内の空気が排気口８ｂを介して排気される。グリル扉２０のフレーム２３にトレー３０が載置され、更に、トレー３０に焼き網３１が載置された状態のものが、上記のように構成された調理庫４０内に挿入されるが、その状態を図６及び図７に基づいて説明する。
【００１２】
図６は調理庫のレールに設けられた弾性体（案内機構）の断面説明図であり、調理庫４０にトレー３０及び焼き網３１（図示せず）が挿入されたときの状態が示されている。図７はその部品の説明図である。弾性体（案内機構）５０は、フランジ３５と調理庫４０の内壁側（この例は本体部２）との間に介在するように構成されており、コイルバネ（バネ部材）５１と、コイルバネ５１によって押圧されてレール４４（４５）の間から突出した当接体５２とを備えている。当接体５２は、金属部材で構成してもよいが、好ましくは、耐熱プラスチックで滑性を有するものが好ましい。この当接体５２の先端部分は半球状に形成されており、その底部にはコイルバネ５１の端部を収納する凹部が形成されている。この弾性体５０は、左右のレール４４，４５に沿って複数個それぞれ設けるものとする。弾性体５０の当接体５２がトレー３０の両側部のフランジ３５を内側に押圧することにより、トレー３０が幅方向にガタつかないようしており、その出し入れがスムーズに行われるようにしている。なお、図６においてはフレーム２３がフランジ３５内に収納された状態に図示されているが、フレーム２３がフランジ３５の端部の下に位置していてもよく、レール４４，４５はフレーム２３及びフランジ３５の高さ方向の位置を規制する機能をもっている。
【００１３】
図８はグリル扉２０を閉じてトレー３０及び被加熱物が載置された焼き網３１を調理庫４０内に収納した状態を示す説明図である。但し、グリル扉２０のフレーム２３の図示は省略されている（このことは後述の図９も同様である。）。なお、図８では、調理庫４０の上部のトッププレート３側に電磁誘導加熱コイル６０が配置されている状態も併せて図示されている。トレー３０はその長さが焼き網３１よりも長い寸法になっており、焼き網３１よりも奥側の部分が収納室４６に挿入された状態になっている。この挿入状態においては、上ヒーター４２が被加熱物の上部に位置し、下ヒーター４３が焼き網３１とトレー３０との間に介在するような位置関係になっている。排風口４８は排風路４９を介して排気口８ｂ（図１参照）と連通しており、調理庫４０内の空気を排気口８ｂを介して外部に排気する。図８の状態から、利用者がグリル扉２０のハンドル２２を持って引き出すと図９に示されるような状態になるが、引き出す際には図６に示される弾性体５０が機能してスムーズな引き出しが可能になっている。
【００１４】
図９はグリル扉２０を引き出した状態の説明図である。トレー３０はそのトレー掛かり部３４が庫内掛かり部４７と係合するまで引き出されると停止するが、そのときの状態は、焼き網３１の全体が調理庫４０の開口部４１よりも手前側（正面側）に位置している。このとき、グリル扉２０のフレーム２３及びトレー３０のフランジ３５の一部がレール４４，４５とまだ係合している状態になっており、少なくともトレー３０はその姿勢を水平に保持している。
【００１５】
以上のように実施の形態１においては、グリル扉２０で調理庫４０の開口部４１を覆った際に、トレー３０の後部が調理庫４０の奥面側に形成された収納室４６に収納される構成になっており、トレー３０の長さはそれに載置される焼き網３１の長さよりも長く、グリル扉２０を手前側にスライドさせてトレー３０を引き出すと、トレー３０の引出し量が増大し、トレー３０に載置された焼き網３１の全体を調理庫４０の開口部４１の外側まで引き出すことができる。このため、調理物を容易に焼き網３１上に配置することができ、或いは調理終了後も調理物を容易に取り出すことができる。また、調理庫４０の奥側の壁に付着した油等が落下しても、トレー３０に落下するので、調理庫４０が汚れないで済む。
【００１６】
また、調理庫４０の開口部４１側の内壁に庫内掛かり部４５を形成し、トレー３０の後部にトレー掛かり部３４を形成し、グリル扉２０の引き出し時に、トレー掛かり部３４を庫内掛かり部４７と接合させることによりグリル扉２０の引き出し量を規制して脱落するのを防止している。また、グリル扉２０とトレー３０とを別体にし、且つ着脱自在に構成しており、これによって調理後の清掃を簡単に行うことができる。
【００１７】
また、本実施の形態１においては、弾性体５０をフランジ３５と調理庫４０の内壁側との間に介在させ、弾性体５０の当接体５２がトレー３０の両側部のフランジ３５を内側に押圧することにより、トレー３０が幅方向にガタつかないようにしており、その出し入れがスムーズに行われる。また、弾性体５０は、コイルバネ（バネ部材）５１と当接体５２とから構成され、当接体５２がフランジ部３５に当接するように形成されており、コイルバネ（バネ部材）５１よりフランジ３５を弾性付勢することによりトレー３０の出し入れの際のガタつきをなくしている。更に、弾性体５０をレール４４，４５の近傍に設けたことにより、トレー３０が内側に弾性付勢されながらレール４４，４５により案内されるので、その出し入れがスムーズに行われる。
【００１８】
実施の形態２．
図１０は調理庫のレールに設けられた他の弾性体の断面説明図である。この弾性体５０は、図６に示されたものとその基本構成は同じであるので、相違点を中心に説明する。本体部２の内壁側には凸状の係合部５３が形成されており、その係合部５３を覆うようにしてコイルバネ５１の一方の端部が装着される。コイルバネ５１の他方の端部には当接体５２が装着される。更に、本体部２側にはこれらのコイルバネ５１及び当接体５２を収納する筒状の収納部５４が形成されている。この収納部５４の先端部はリブ４４ａと４４ｂとの間の調理庫４０の外壁に当接するが、収納部５４の先端部には切欠き部５４ａが形成されており、収納部５４の外側から内側に空気が流入できる構成になっている。また、調理庫４０のリブ４４ａと４４ｂとの間には、当接体５２が挿通される開口部４４ｃが形成されており、この開口部４４ｃと当接体５２との間には隙間５５が形成されている。このようにして切欠き部５４ａ及び隙間５５を介して外部の空気が調理庫４０内に流入する構成が採用されていることから、調理庫４０内の例えば魚を焼いた際に発生する煙を、排風口４８及び排風路４９を介して排気口８ｂから排出する際の吸気口として機能する。また、フランジ３５の下面には凸部３５ａが所定の間隔で複数個形成されており、トレー３０の出し入れのときのフランジ３５の摺動抵抗が小さくなり、出し入れがスムーズに行われるようにしている。なお、この例では調理器４０側に弾性体５０を設けたが、トレー３０側に設けてもよい。その例を図１１に基づいて説明する。
【００１９】
実施の形態３．
図１１はトレー３０に設けられた案内機構５０の説明図である。この例では、トレー３０の両側部のフランジ３５に、中央部分が突起した板バネ５５を複数個取付けて弾性体（案内機構）５０を構成しており、図６の例と同様な効果が得られる。
【図面の簡単な説明】
【００２０】
【図１】本発明の実施の形態１に係る加熱調理器の斜視図である。
【図２】図１のグリル扉を引き出した状態の斜視図である。
【図３】グリルの分解斜視図である。
【図４】グリル扉にトレーを載置した状態の説明図である。
【図５】調理庫の斜視図である。
【図６】弾性体（その１）の断面説明図である。
【図７】弾性体の部品の説明図である。
【図８】調理庫にトレー及び焼き網を収納した状態の説明図である。
【図９】グリル扉を引き出した状態の説明図である。
【図１０】弾性体（その２）の断面説明図である。
【図１１】弾性体（その３）の説明図である。
【符号の説明】
【００２１】
１ 加熱調理器、２ 本体部、３ トッププレート、４ 枠材、５ａ，５ｂ，５ｃ 載置部、６ａ，６ｂ，６ｃ 火力表示部、７ａ，７ｂ，７ｃ 液晶表示部、８ａ 吸気口、８ｂ 排気口、９ａ 上面操作部、９ｂ 正面操作部、１０ ロースターグリル、２０ グリル扉、２１ 扉本体、２１ａ ガラス板、２２ ハンドル、２３ フレーム、３０ トレー、３１ 焼き網、３２ 凹部、３３ 焼き網固定凸部、３４ トレー掛かり部、３５ フランジ、４０ 調理庫、４１ 開口部、４２ 上ヒーター、４３ 下ヒーター、４４，４５ レール、４６ 収納室、４７ 庫内掛かり部、４８ 排風口、５０ 弾性体、５１ コイルバネ、５２ 当接体、５３ 板バネ。
【図１】
0004395116.tif 000002
【図２】
0004395116.tif 000003
【図３】
0004395116.tif 000004
【図４】
0004395116.tif 000005
【図５】
0004395116.tif 000006
【図６】
0004395116.tif 000007
【図７】
0004395116.tif 000008
【図８】
0004395116.tif 000009
【図９】
0004395116.tif 000010
【図１０】
0004395116.tif 000011
【図１１】
0004395116.tif 000012